(57)【要約】【課題】  下水処理施設、上水処理施設、清掃焼却施設、その他公共施設において、人間が常時不在の管廊、機械室、受電室、等、は給排風機を２４時間連続運転させる必要がない。しかし、現在の給排風機の運転は、２４時間連続運転か、手動によるＯＮ，ＯＦＦ，運転のいずれかである為、無駄な電力を使用している。【解決手段】  上記の課題を解決する為、本考案では、給排風機を必要な時のみ、また、電力単価が安価な時を優先運転する、電力デマンドスイッチ▲５▼、連動スイッチ▲６▼、サーマルスイッチ▲７▼、スケジュウルスイッチ▲８▼、を給排風機の操作盤に設置し、給排風機を自動運転する事で解決した。【選択図】図２
0003130593.tif 000002
【実用新案登録請求の範囲】
【請求項１】
下水処理施設、上水処理施設、清掃焼却施設、その他公共施設における給排風機の運転に関し、電力デマンドスイッチ▲５▼、連動スイッチ▲６▼、サーマルスイッチ▲７▼、スケジュウルスイッチ▲８▼、のいずれか１つまたは複数により自動的に運転する事を特徴とする給排風機の運転方法。
【考案の詳細な説明】
【技術分野】
【０００１】  本考案は、給排風機の運転時間の削減および、電力単価の安価な時間帯運転を行う事により、電力費を削減する運転方法に関するする技術である。
【背景技術】
【０００２】  従来の給排風機運転方法の操作回路図を図１に示す。給排風機の運転は外部運転指令▲２▼が出ると給排風機運転準備リレー▲１▼が励磁され給排風機は、運転可能な状態となり、手動スイッチを入れる事により給排風機運転リレー▲３▼が励磁され運転される。この時、給排風機は２４時間連続運転される。または、手動にてＯＮ，ＯＦＦする運転方法を行う。
【考案が解決しようとする課題】
【０００３】  給排風機の設置目的は、室内を換気する事により、室内で人間が安全に活動できる状態を維持すると共に、室内機器が安定的に運転できる条件を維持する事である。なお、給排風機とは、吸気機、排気機、が共に設置されている場合と、どちらか片方が設置されている場合がある。
下水処理施設、上水処理施設、清掃焼却施設、その他公共施設において、人間が常時不在の管廊、機械室、受電室、等、は給排風機を２４時間連続運転させる必要がない。また、室内機器が常時運転していない場合も２４時間連続運転の必要がない。しかし、現在の給排風機の運転は、２４時間連続運転か、手動によるＯＮ，ＯＦＦ，運転のいずれかである。その為、２４時間連続運転の場合は、不必要な電力を使用し無駄な電力費を使用している。また、手動によるＯＮ，ＯＦＦ，運転の場合は、必要な時すぐに人間が室へ入る事ができない。
【課題を解決するための手段】
【０００４】  上記の課題を解決する為、本考案では、下水処理施設、上水処理施設、清掃焼却施設、その他公共施設において、給排風機を必要な時間のみ、また、電力単価が安価な時、自動的に運転する事で解決した。
なお、必要な時間とは、人間が維持管理の為現場へ行く時、室温が上昇し換気により室内温度を低下させる時、室内機器が運転され排気が必要な時、と事前に予測する事が可能である。また、電力単価が安価な時間も事前に予測する事が可能である。これら、事前に予測できる項目により給排風機を自動的に運転する事により、１日の給排風機運転時間を２４時間以下とする事が可能となる。また、安価な電力を使用する事が可能となる。従って、電力費削減が可能となる。また、事前に現場へ人間が行くパターンを設定する事により、事前に換気を実施し人間がすぐ日常点検に入る事が可能となる。
【発明の実施形態】
【０００５】  次に本発明の実施形態について説明する。
図２、は実施例の操作回路図を示す  図２において、給排風機の自動手動切り替えスイッチ▲４▼を自動側に設定し自動運転条件が確立すると、給排風機運転リレー▲３▼が励磁され、図３の自動制御内容により給排風機は自動起動、自動停止を行う。自動手動切り替えスイッチ▲４▼を手動側にすれば従来どうり手動運転ができる。
図３において各自動制御システムは下記である。
電力デマンド制御…給排風機の運転時間が夜間でも可能な場合は、運転時間を電力費の安価な夜間を優先させる運転、また、電力単価が高騰する夏期昼間の電力を削減する運転、を設定できる、電力デマンドスイッチ▲５▼により給排風機の起動、停止を行う。
スケジュール制御…日常点検で人間が現場へ行く場合は、人間の行動パターンに合わせ事前に運転、また、人間が現場へ行かない、日曜、祭日、夜間は運転時間を削減する運転、を設定できるスケジュウルスイッチ▲８▼により給排風機の起動、停止を行う。
室温制御…受電室等、一定の温度以下の場合換気は不要である。その様な場合、室温が一定温度以上になったら運転、を設定できるサーマルスイッチ▲７▼により給排風機の起動、停止を行う。
主要機器制御…室内機器と連動させる運転を設定できる連動スイッチ▲６▼により給排風機の起動、停止を行う。なお、この時、室温上昇による機器の劣化を防止すると同時に有害ガスの排除を行う為、連動スイッチ▲６▼の他に、室温信号、運転時間信号、運転時刻信号により給排風機の運転を補正するとなお効果が上がる。
以上の実施例を図−２の操作回路図で説明した。これらの考え方をＩＣメモリーで構成する事も可能である。また、図−３のＯＲ条件をＡＮＤ条件にする事も可能である。
【発明の効果】
【０００６】  本発明による電力削減の計算例を表１に示す。
【表１】
0003130593.tif 000003
表１より、本考案技術を使用する事により電力費が４４，２３８千円／年  必要の内、２９，８０７千円／年  減額になることが解る。
【図面の簡単な説明】
【０００７】
【図１】従来技術の説明図
【図２】考案技術の説明図
【図３】考案技術における制御装置の実施例
【符号の説明】
【０００８】▲１▼給排風機運転準備リレー、▲２▼は給排風機運転の外部運転指令、▲３▼は給排風機運転リレー、▲４▼は自動手動切り替えスイッチ、▲５▼は電力デマンドスイッチ、▲６▼は連動スイッチ、▲７▼はサーマルスイッチ、▲８▼スケジュウルスイッチ、
【図１】
0003130593.tif 000004
【図２】
0003130593.tif 000005
【図３】
0003130593.tif 000006
【手続補正書】
【提出日】平成18年8月28日(2006.8.28)
【手続補正１】
【補正対象書類名】実用新案登録請求の範囲
【補正対象項目名】全文
【補正方法】変更
【補正の内容】
【実用新案登録請求の範囲】
【請求項１】
下水処理施設、上水処理施設、清掃焼却施設、その他公共施設における給排風機の操作盤に於いて、電力デマンドスイッチ▲５▼、を設置した給排風機の操作盤
【請求項２】
下水処理施設、上水処理施設、清掃焼却施設、その他公共施設における給排風機の操作盤に於いて、連動スイッチ▲６▼、を設置した給排風機の操作盤
【請求項３】
下水処理施設、上水処理施設、清掃焼却施設、その他公共施設における給排風機の操作盤に於いて、サーマルスイッチ▲７▼、を設置した給排風機の操作盤
【請求項４】
下水処理施設、上水処理施設、清掃焼却施設、その他公共施設における給排風機の操作盤に於いて、スケジュウルスイッチ▲８▼、を設置した給排風機の操作盤
【手続補正２】
【補正対象書類名】明細書
【補正対象項目名】全文
【補正方法】変更
【補正の内容】
【考案の詳細な説明】
【考案の属する技術】
【０００１】  本考案は、給排風機の運転時間の削減および、電力単価の安価な時間帯での運転を行う事により、電力費を削減する技術である。
【背景技術】
【０００２】  従来の給排風機操作盤の操作回路図を図１に示す。給排風機の運転は外部運転指令▲２▼が出ると給排風機運転準備リレー▲１▼が励磁され給排風機は、運転可能な状態となり、手動スイッチを入れる事により給排風機運転リレー▲３▼が励磁され運転される。この時、給排風機は２４時間連続運転される。または、手動にてＯＮ，ＯＦＦする事も可能である。
【考案が解決しようとする課題】
【０００３】  給排風機の設置目的は、室内を換気する事により、室内で人間が安全に活動できる状態を維持すると共に、室内機器が安定的に運転できる条件を維持する事である。なお、給排風機とは、吸気機、排気機、が共に設置されている場合と、どちらか片方が設置されている場合がある。
下水処理施設、上水処理施設、清掃焼却施設、その他公共施設において、人間が常時不在の管廊、機械室、受電室、等、は給排風機を２４時間連続運転させる必要がない。また、室内機器が常時運転していない場合も２４時間連続運転の必要がない。しかし、現在の給排風機の運転は、２４時間連続運転か、手動によるＯＮ，ＯＦＦ，運転のいずれかである。その為、２４時間連続運転の場合は、不必要な電力を使用し無駄な電力費を使用している。また、手動によるＯＮ，ＯＦＦ，運転の場合は、必要な時すぐに人間が室へ入る事ができない。
【課題を解決するための手段】
【０００４】  上記の課題を解決する為、本考案では、下水処理施設、上水処理施設、清掃焼却施設、その他公共施設において、給排風機を必要な時間のみ、また、電力単価が安価な時、自動的に運転する事で解決した。
なお、必要な時間とは、人間が維持管理の為現場へ行く時、室温が上昇し換気により室内温度を低下させる時、室内機器が運転され排気が必要な時、と事前に予測する事が可能である。また、電力単価が安価な時間も事前に予測する事が可能である。これら、事前に予測できる項目により給排風機を自動的に運転する事により、１日の給排風機運転時間を２４時間以下とする事が可能となる。また、安価な電力を使用する事が可能となる。従って、電力費削減が可能となる。また、事前に現場へ人間が行くパターンを設定する事により、事前に換気を実施し人間がすぐ日常点検に入る事が可能となる。
【考案の実施形態】
【０００５】  次に本発明の実施形態について説明する。
図２、は本考案における実施例の操作回路図を示す。図−２は本考案の部分を示したものであり、その他の保護回路、運転表示回路、等、付帯して設置される事は従来技術と同様である。  図２において、給排風機の自動手動切り替えスイッチ▲４▼を自動側に設定し自動運転条件が確立すると、給排風機運転リレー▲３▼が励磁され、図３の自動制御内容により給排風機は自動起動、自動停止を行う。自動手動切り替えスイッチ▲４▼を手動側にすれば従来どうり手動運転ができる。
図３において各自動制御システムは下記である。
電力デマンド制御…給排風機の運転時間が夜間でも可能な場合は、運転時間を電力費の安価な夜間を優先させる運転、また、電力単価が高騰する夏期昼間の電力を削減する運転、を設定できる、電力デマンドスイッチ▲５▼により給排風機の起動、停止を行う。
スケジュール制御…日常点検で人間が現場へ行く場合は、人間の行動パターンに合わせ事前に運転、また、人間が現場へ行かない、日曜、祭日、夜間は運転時間を削減する運転、を設定できるスケジュウルスイッチ▲８▼により給排風機の起動、停止を行う。
室温制御…受電室等、一定の温度以下の場合換気は不要である。その様な場合、室温が一定温度以上になったら運転、を設定できるサーマルスイッチ▲７▼により給排風機の起動、停止を行う。
主要機器制御…室内機器と連動させる運転を設定できる連動スイッチ▲６▼により給排風機の起動、停止を行う。なお、この時、室温上昇による機器の劣化を防止すると同時に有害ガスの排除を行う為、連動スイッチ▲６▼の他に、室温信号、運転時間信号、運転時刻信号により給排風機の運転を補正するとなお効果が上がる。
以上の実施例を図−２の操作回路図で説明した。これらの考え方をＩＣメモリーで構成する事も可能である。また、図−３のＯＲ条件をＡＮＤ条件に図２の回路を組み上げる事も可能である。
【発明の効果】
【０００６】  本発明による電力削減の計算例を表−１に示す。
【表−１】
0003130593.tif 000007
表−１より、本考案技術を使用する事により電力費が４４，２３８千円／年  必要の内、２９，８０７千円／年  減額になることが解る。
【図面の簡単な説明】
【図１】  従来技術の説明図
【図２】  考案技術の説明図
【図３】  考案技術における操作盤の実施例
【符号の説明】
▲１▼給排風機運転準備リレー、▲２▼は給排風機運転の外部運転指令、▲３▼は給排風機運転リレー、▲４▼は自動手動切り替えスイッチ、▲５▼は電力デマンドスイッチ、▲６▼は連動スイッチ、▲７▼はサーマルスイッチ、▲８▼スケジュウルスイッチ、